(57)【要約】      （修正有）【課題】ユーザが、検体分析装置の保守作業の予定を容易に把握することが可能な検体測定装置を提供する。【解決手段】この検体測定装置（免疫分析装置１）は、検体を測定する測定部（測定装置２）と、保守の予定を記憶する記憶部（ハードディスク）と、表示部４ｂと、日付とその日付に実施予定の保守項目とを対応付けて表示するカレンダ形式の表示画面を表示部４ｂに表示させる表示制御部（制御部４ａ）と、を備える。【選択図】図１
2008292159.tif 000002
【特許請求の範囲】
【請求項１】
検体を測定する測定部と、
保守の予定を記憶する記憶部と、
表示部と、
日付とその日付に実施予定の保守項目とを対応付けて表示するカレンダ形式の表示画面を表示部に表示させる表示制御部と、を備える検体測定装置。
【請求項２】
表示制御部は、実施済の保守項目が非表示とされるようにカレンダ形式の表示画面を更新して表示部に表示させる請求項１記載の検体測定装置。
【請求項３】
カレンダの日付の指定をユーザから受け付けるための受付部を備え、
表示制御部は、受付部から日付の指定を受け付けた際に、その指定日に実施予定の保守項目を表示するウィンドウを表示部に表示させる請求項１又は２の何れか１項に記載の検体測定装置。
【請求項４】
ユーザが実施した保守項目の指定を受け付けるための実施済項目受付部と、
実施済項目受付部が保守項目の指定を受け付けた際に、その保守項目を記憶部に記憶させる記憶手段と、を備える請求項１〜３の何れか１項に記載の検体測定装置。
【請求項５】
表示制御部は、実施済項目受付部が保守項目の指定を受け付けた際に、指定された保守項目が非表示とされたカレンダ形式の表示画面を、表示部に表示させる請求項４に記載の検体測定装置。
【請求項６】
表示制御部は、ウィンドウに、実施済の保守項目と、未実施の保守項目とを識別して表示する請求項３〜５の何れか１項に記載の検体測定装置。
【請求項７】
定期的な保守項目を実施する周期を設定する保守周期設定手段を備え、
表示制御部は、保守周期設定手段によって設定された周期で、保守項目をカレンダ形式の表示画面に表示させる請求項１〜６の何れか１項に記載の検体測定装置。
【請求項８】
周期は、毎日、毎週および毎月のうち何れか１つである請求項７に記載の検体測定装置。
【請求項９】
休日を設定するための休日設定手段を備え、
保守項目周期設定手段によって設定された周期が毎日である際に、表示制御部は、カレンダ形式の表示画面における休日設定手段によって設定された休日以外の日付に、毎日実施予定の保守項目を表示させる請求項８に記載の検体測定装置。
【請求項１０】
測定部において所定の保守項目の自動保守動作を実行させるための動作制御部と、
自動保守動作を伴う保守項目の指定を受け付けるための自動保守項目受付部とを備え、自動保守項目受付部が保守項目の指定を受け付けた際に、動作制御部は指定された保守項目の自動保守動作を測定部に実行させる請求項１〜９の何れか１項に記載の検体測定装置。
【請求項１１】
自動保守が実行された保守項目を記憶部に記憶させる記憶手段を備える請求項１０に記載の検体測定装置。
【請求項１２】
新たな保守項目をユーザが設定するための保守項目設定手段と、保守項目設定手段によって設定された保守項目を記憶部に記憶させる記憶手段とを備える請求項１〜１１の何れか１項に記載の検体測定装置。
【請求項１３】
測定部が検体の測定を開始することが可能なスタンバイ状態となる時刻を設定するためのスタンバイ時刻設定手段と、
スタンバイ時刻設定手段によって設定されたスタンバイ時刻に測定部がスタンバイ状態となるように、スタンバイ時刻に基づいて測定部を起動させる起動手段とを備える請求項１〜１２に記載の検体測定装置。
【請求項１４】
表示制御部は、日付とその日付に実施予定の保守項目とスタンバイ時刻設定手段によって設定されたスタンバイ時刻の表示を呼び出すためのスタンバイ時刻表示アイコンとを対応付けてカレンダ形式の表示画面に表示させ、スタンバイ時刻表示アイコンが操作された際に、スタンバイ時刻を表示部に表示させる請求項１３に記載の検体測定装置。
【請求項１５】
表示制御部は、スタンバイ時刻表示アイコンが操作された際に、スタンバイ時刻を表示するウィンドウを表示させ、このウィンドウは、スタンバイ時刻を受け付けることが可能である請求項１４に記載の検体測定装置。
【発明の詳細な説明】
【技術分野】
【０００１】
本発明は、検体を測定する測定部を備え、測定部のメンテナンス（保守）の予定をユーザが容易に把握することが可能な検体測定装置に関する。
【背景技術】
【０００２】
検体と試薬とから調製された測定試料を分析する検体測定装置として、比色分析装置、蛍光分析装置、免疫分析装置、血液凝固分析装置、血液分析装置等の検体分析装置が知られている。
【０００３】
この種の検体分析装置では、種々の試薬を用いて検体を処理することにより測定試料を調製し、得られた測定試料を、光学的にあるいは電気的に測定する測定部を備えている。
【０００４】
検体分析装置の分析精度が維持されるためには、測定部における測定試料の調製から測定試料の測定に至る工程が常に円滑に行われる必要がある。そこで、必要な保守項目について、それぞれ所定のスケジュールに従い、検体分析装置の測定部のメンテナンスを実施する必要がある。例えば、免疫分析装置の保守項目としては、試薬の分注を行うピペットの「ピペット洗浄」、廃棄用の容器に収容された使用済みのキュベット（サンプルチューブ）を廃棄して、その容器を空にする「キュベット廃棄」、使用済みの洗浄液などの「廃液処理」、検体分析装置に使用される消耗品（試薬、検体の分注に用いられるピペットチップ、分注された試薬を収容し光学的に検出を行うためのキュベット等）の発注作業などが挙げられる。
【０００５】
特許文献１には、保守項目を実行すると実行した日付が記憶装置に記憶される自動分析装置が開示されている。この自動分析装置では、予め登録された保守項目以外にも、ユーザが保守項目を新規に登録することが可能である。また、この自動分析装置は、登録された保守項目について保守を行う時期をユーザに知らせるアラーム機能を備えている。
【０００６】
この特許文献１に開示されている分析装置では、その図９に示されるように、保守画面において、メンテナンスの記録が表示されるようになっており、例えば、警告アラームが発生した保守項目名やその日時が時系列順に古いものから表示されるようになっている。この画面においては、最も古い記録から順に１２件の保守記録が表示されており、画面をスクロールすることにより、新しい日時の保守記録も表示可能である。
【０００７】
【特許文献１】特開平９−２１１００３号公報
【発明の開示】
【発明が解決しようとする課題】
【０００８】
しかしながら、特許文献１に開示されている分析装置では、保守の記録は確認可能であるが、保守の予定を確認できるようにはなっていない。従って、ユーザが、保守作業の予定を確認したい場合、特に、３日先、１週間先、2週間先などの保守作業の予定を確認したい場合に、容易に保守作業の予定を把握することができなかった。
【０００９】
本発明は、このような事情に鑑みてなされたものであり、ユーザが、検体分析装置の保守作業の予定を容易に把握することが可能な検体測定装置を提供することを目的としている。
【課題を解決するための手段及び発明の効果】
【００１０】
本発明に係る検体測定装置は、検体を測定する測定部と、保守の予定を記憶する記憶部と、表示部と、日付とその日付に実施予定の保守項目とを対応付けて表示するカレンダ形式の表示画面を表示部に表示させる表示制御部と、を備えることを特徴とする。
【００１１】
かかる構成とすることにより、表示部に表示されたカレンダ形式の表示画面によって、ユーザが検体分析装置の保守作業の予定を容易に把握することができる。
【００１２】
上記発明においては、表示制御部は、実施済の保守項目が非表示とされるように表示画面を更新して表示部に表示させることが好ましい。これにより、表示されたカレンダには、未実施の保守作業のみが表示されるので、ユーザが残りの保守作業の作業量を把握することが容易となる。
【００１３】
上記発明においては、カレンダの日付の指定をユーザから受け付けるための受付部を備え、表示制御部は、受付部から日付の指定を受け付けた際に、その指定日に実施予定の保守項目を示すウィンドウを表示部に表示させることが好ましい。これにより、表示部に表示されたカレンダによって、長期（１,２週間〜１ヶ月）の測定部の保守の予定とカレンダの各日付の実施される短期（１日）に保守の予定とを容易に把握することができる。このため、当日実施すべき保守作業が未実施となる作業ミスを防止することができる。
【００１４】
上記発明においては、ユーザが実施した保守項目の指定を受け付けるための実施済項目受付部と、実施済項目受付部が保守項目の指定を受け付けた際に、その保守項目を記憶部に記憶させる記憶手段と、を備えることが好ましい。
【００１５】
また、上記発明においては、表示制御部は、実施済項目受付部が保守項目の指定を受け付けた際に、指定された保守項目が非表示とされた表示画面を、表示部に表示させることが好ましい。
【００１６】
また、上記発明においては、表示制御部は、ウィンドウに、実施済の保守項目と、未実施の保守項目とを識別して表示することが好ましい。これにより、ユーザは、指定日における実施保守項目と未実施保守項目とがどれであるかを容易に把握することができる。
【００１７】
また、上記発明においては、定期的な保守項目を実施する周期を設定する保守周期設定手段を備え、表示制御部は、保守周期設定手段によって設定された周期で、保守項目を表示画面に表示させることが好ましい。これにより、装置の使用頻度や検体の処理数の増減等の使用環境が変化した場合でもユーザが自由に、保守作業の周期を変更することができる。
【００１８】
上記発明においては、周期は、毎日、毎週および毎月のうちの何れか１つであることが好ましい。
【００１９】
また、上記発明においては、休日を設定するための休日設定手段を備え、保守項目周期設定手段によって設定された周期が毎日である際に、表示制御部は、カレンダ形式の表示画面における休日設定手段によって設定された休日以外の日付に、毎日実施予定の保守項目を表示させることが好ましい。これにより、毎日実施する保守項目であっても、設定された休日には、保守項目が表示されないので、ユーザは、休日を考慮した保守項目の実施予定を把握することができる。
【００２０】
また、上記発明においては、測定部において所定の保守項目の自動保守動作を実行させるための動作制御部と、自動保守動作を伴う保守項目の指定を受け付けるための自動保守項目受付部とを備え、自動保守項目受付部が保守項目の指定を受け付けた際に、動作制御部は指定された保守項目の自動保守動作を測定部に実行させることが好ましい。
【００２１】
また、上記発明においては、自動保守が実行された保守項目を記憶部に記憶させる記憶手段を備えることが好ましい。
【００２２】
上記発明においては、新たな保守項目をユーザが設定するための保守項目設定手段と、保守項目設定手段によって設定された保守項目を記憶部に記憶させる記憶手段とを備えることが好ましい。これにより、予め設定された保守項目以外のメンテナンス作業をユーザが実施したい場合に、この作業を登録することができる。
【００２３】
上記発明においては、測定部が検体の測定を開始することが可能なスタンバイ状態となる時刻を設定するためのスタンバイ時刻設定手段と、スタンバイ時刻設定手段によって設定されたスタンバイ時刻に測定部がスタンバイ状態となるように、スタンバイ時刻に基づいて測定部を起動させる起動手段とを備えることが好ましい。    これにより、電源を投入してから測定開始まで時間がかかる装置であっても、直ちに測定部が測定を開始できる。
【００２４】
上記発明においては、表示制御部は、日付とその日付に実施予定の保守項目とスタンバイ時刻設定手段によって設定されたスタンバイ時刻の表示を呼び出すためのスタンバイ時刻表示アイコンとを対応付けてカレンダ形式の表示画面に表示させ、スタンバイ時刻表示アイコンが操作された際に、スタンバイ時刻を表示部に表示させることが好ましい。
【００２５】
また、上記発明においては、表示制御部は、スタンバイ時刻表示アイコンが操作された際に、スタンバイ時刻を表示するウィンドウを表示させ、このウィンドウは、スタンバイ時刻を受け付けることが可能であることが好ましい。
【発明を実施するための最良の形態】
【００２６】
以下、本発明の好ましい実施形態について図面に基づき説明する。
【００２７】
なお、図１は、本発明の一実施形態による免疫分析装置の全体構成を示した平面図である。図２は、図１に示した免疫分析装置の測定装置の構成を示したブロック図であり、図３は、図２に示した測定装置の制御部の構成を示したブロック図である。そして、図４は、図１に示した免疫分析装置の制御装置の構成を示したブロック図である。まず、図１〜図４を参照して、本発明の一実施形態による免疫分析装置の全体構成について説明する。
【００２８】
本発明の一実施形態による免疫分析装置１は、血液などの検体を用いてＢ型肝炎、Ｃ型肝炎、腫瘍マーカおよび甲状腺ホルモンなど種々の項目の検査を行うための装置である。この免疫分析装置１では、測定対象である血液などの検体に含まれる抗原に結合した捕捉抗体（Ｒ１試薬）に磁性粒子（Ｒ２試薬）を結合させた後に、結合（Ｂｏｕｎｄ）した抗原、捕捉抗体および磁性粒子をＢＦ（Ｂｏｕｎｄ  Ｆｒｅｅ）分離部１４（図１および図２参照）の磁石（図示せず）に引き寄せることにより、未反応（Ｆｒｅｅ）の捕捉抗体を含むＲ１試薬を除去する。そして、磁性粒子が結合した抗原と標識抗体（Ｒ３試薬）とを結合させた後に、結合（Ｂｏｕｎｄ）した磁性粒子、抗原および標識抗体をＢＦ分離部１４の磁石に引き寄せることにより、未反応（Ｆｒｅｅ）の標識抗体を含むＲ３試薬を除去する。さらに、標識抗体との反応過程で発光する発光基質（Ｒ５試薬）を添加した後、標識抗体と発光基質との反応によって生じる発光量を測定する。このような過程を経て、標識抗体に結合する検体に含まれる抗原または抗体を定量的に測定している。
【００２９】
この免疫分析装置１は、図１および図２に示すように、測定装置２と、測定装置２の前面側に配置された検体搬送部（サンプラ）３と、測定装置２に電気的に接続されたＰＣ（パーソナルコンピュータ）からなる制御装置４とを備えている。また、測定装置２は、ピペットチップ供給装置３０と、緊急検体・チップ搬送部２０と、検体分注アーム５と、ノズル拭き取り部１６と、試薬設置部６および７と、試薬分注アーム８、９および１０と、１次反応部１１および２次反応部１２と、キュベット供給部１３と、ＢＦ分離部１４と、検出部１５とから構成されている。また、図２に示すように、測定装置２における各機構（各種分注アームおよび試薬設置部７など）は、測定装置２に設けられた制御部２ａにより制御されている。また、検体搬送部３も制御部２ａによって制御される。なお、本実施形態による免疫分析装置１では、検体分注アーム５により吸引および吐出された血液などの検体が他の検体と混ざり合うのを抑制するために、検体の吸引および吐出を行う度に、使い捨てのピペットチップ(図示せず)の交換を行なっている。なお、測定装置２の各構成については後に説明する。
【００３０】
制御部２ａは、図３に示すように、ＣＰＵ２ｂと、ＲＯＭ２ｃと、ＲＡＭ２ｄと、通信インタフェース２ｅとから主として構成されている。
【００３１】
ＣＰＵ２ｂは、ＲＯＭ２ｃに記憶されているコンピュータプログラムおよびＲＡＭ２ｄに読み出されたコンピュータプログラムを実行することが可能である。ＲＯＭ２ｃは、ＣＰＵ２ｂに実行させるためのコンピュータプログラムおよびそのコンピュータプログラムの実行に用いるデータなどを記憶している。ＲＡＭ２ｄは、ＲＯＭ２ｃに記憶しているコンピュータプログラムの読み出しに用いられる。また、これらのコンピュータプログラムを実行するときに、ＣＰＵ２ｂの作業領域として利用される。
【００３２】
通信インタフェース２ｅは、制御装置４に接続されており、検体の光学的な情報（標識抗体と発光基質との反応によって生じる発光量のデータ）を制御装置４に送信するとともに、制御装置４の制御部４ａからの信号を受信するための機能を果たす。また、通信インタフェース２ｅは、検体搬送部３および測定装置２の各部を駆動するためのＣＰＵ２ｂからの指令を制御装置４へ送信するための機能を有する。
【００３３】
検体搬送部３は、図１に示すように、検体を収容した複数の試験管１００が載置されたラック１０１を、検体分注アーム５が検体を吸引する吸引位置１ａに対応する位置まで搬送するように構成されている。この検体搬送部３は、未処理の検体を収容した試験管１００が載置されたラック１０１をセットするためのラックセット部３ａと、分注処理済みの検体を収容した試験管１００が載置されたラック１０１を貯留するためのラック貯留部３ｂとを有している。そして、未処理の検体を収容した試験管１００を検体分注アーム５の吸引位置１ａに対応する位置まで搬送することにより、検体分注アーム５により試験管１００内の血液などの検体の吸引が行われ、その後、その試験管１００を載置したラック１０１がラック貯留部３ｂに貯留されるように構成されている。また、各試験管１００には、収容された検体を識別する識別情報が記録されたバーコードが貼付されている。ラックセット部３ａにセットされたラック１０１に載置された試験管１００は、図示しないバーコードリーダーにより各々の識別情報が読み取られた後、吸引位置１ａに搬送させる。
【００３４】
制御装置４は、パーソナルコンピュータ（ＰＣ）などからなり、ＣＰＵ、ＲＯＭ、ＲＡＭなどからなる制御部４ａと、表示部４ｂと、キーボード４ｃとを含んでいる。また、表示部４ｂは、検出部１５から送信されたデジタル信号のデータを分析して得られた分析結果やユーザインタフェースなどを表示するために設けられており、タッチパネルによる入力機能を有する。
【００３５】
次に、制御装置４の構成について図４を用いて説明する。制御装置４は、制御部４ａと、表示部４ｂと、キーボード４ｃとから主として構成されたコンピュータ４０１によって構成されている。制御部４ａは、ＣＰＵ４０１ａと、ＲＯＭ４０１ｂと、ＲＡＭ４０１ｃと、ハードディスク４０１ｄと、読出装置４０１ｅと、入出力インタフェース４０１ｆと、通信インタフェース４０１ｇと、画像出力インタフェース４０１ｈとから主として構成されている。ＣＰＵ４０１ａ、ＲＯＭ４０１ｂ、ＲＡＭ４０１ｃ、ハードディスク４０１ｄ、読出装置４０１ｅ、入出力インタフェース４０１ｆ、通信インタフェース４０１ｇ、および画像出力インタフェース４０１ｈは、バス４０１ｉによって接続されている。
【００３６】
ＣＰＵ４０１ａは、ＲＯＭ４０１ｂに記憶されているコンピュータプログラムおよびＲＡＭ４０１ｃにロードされたコンピュータプログラムを実行することが可能である。そして、後述するようなアプリケーションプログラム４０４ａをＣＰＵ４０１ａが実行することにより、コンピュータ４０１が制御装置４として機能する。
【００３７】
ＲＯＭ４０１ｂは、マスクＲＯＭ、ＰＲＯＭ、ＥＰＲＯＭ、ＥＥＰＲＯＭなどによって構成されており、ＣＰＵ４０１ａに実行されるコンピュータプログラムおよびこれに用いるデータなどが記録されている。
【００３８】
ＲＡＭ４０１ｃは、ＳＲＡＭまたはＤＲＡＭなどによって構成されている。ＲＡＭ４０１ｃは、ＲＯＭ４０１ｂおよびハードディスク４０１ｄに記録されているコンピュータプログラムの読み出しに用いられる。また、これらのコンピュータプログラムを実行するときに、ＣＰＵ４０１ａの作業領域として利用される。
【００３９】
ハードディスク４０１ｄは、オペレーティングシステムおよびアプリケーションプログラムなど、ＣＰＵ４０１ａに実行させるための種々のコンピュータプログラムおよびそのコンピュータプログラムの実行に用いるデータがインストールされている。本実施形態に係る免疫分析及び装置の保守に関するアプリケーションプログラム４０４ａも、このハードディスク４０１ｄにインストールされている。
【００４０】
読出装置４０１ｅは、フレキシブルディスクドライブ、ＣＤ−ＲＯＭドライブ、またはＤＶＤ−ＲＯＭドライブなどによって構成されており、可搬型記録媒体４０４に記録されたコンピュータプログラムまたはデータを読み出すことができる。また、可搬型記録媒体４０４には、免疫分析用のアプリケーションプログラム４０４ａが格納されており、コンピュータ４０１がその可搬型記録媒体４０４からアプリケーションプログラム４０４ａを読み出し、そのアプリケーションプログラム４０４ａをハードディスク４０１ｄにインストールすることが可能である。
【００４１】
なお、上記アプリケーションプログラム４０４ａは、可搬型記録媒体４０４によって提供されるのみならず、電気通信回線（有線、無線を問わない）によってコンピュータ４０１と通信可能に接続された外部の機器から上記電気通信回線を通じて提供することも可能である。たとえば、上記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００４２】
また、ハードディスク４０１ｄには、たとえば、米マイクロソフト社が製造販売するＷｉｎｄｏｗｓ（登録商標）などのグラフィカルユーザインタフェース環境を提供するオペレーティングシステムがインストールされている。以下の説明においては、本実施形態に係るアプリケーションプログラム４０４ａは上記オペレーティングシステム上で動作するものとしている。
【００４３】
入出力インタフェース４０１ｆは、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インタフェース４０１ｆには、キーボード４ｃやマウス（図示せず）、タッチパネル機能を有する表示部４ｂが接続されており、ユーザがそのキーボード４ｃやマウスを使用することにより、コンピュータ４０１にデータを入力することが可能である。また、ユーザが表示部４ｂに触れることにより、コンピュータ４０１に入力を行うことが可能である。 
通信インタフェース４０１ｇは、たとえば、Ｅｔｈｅｒｎｅｔ（登録商標）インタフェースである。コンピュータ４０１は、その通信インタフェース４０１ｇにより、所定の通信プロトコルを使用して測定装置２との間でデータの送受信が可能である。
【００４４】
画像出力インタフェース４０１ｈは、ＬＣＤまたはＣＲＴなどで構成された表示部４ｂに接続されており、ＣＰＵ４０１ａから与えられた画像データに応じた映像信号を表示部４ｂに出力するようになっている。表示部４ｂは、入力された映像信号にしたがって、画像（画面）を表示する。
【００４５】
また、制御部４ａのハードディスク４０１ｄにインストールされた免疫分析用のアプリケーションプログラム４０４ａは、測定装置２の検出部１５から送信された測定用試料の発光量（デジタル信号のデータ）を用いて、測定用試料の抗原の量を測定している。
次に、測定装置２の各構成について、図１を用いて説明する。
図１に示すように、ピペットチップ供給装置３０は、チップ収容部（図示せず）に収容された大量のピペットチップを一つずつ緊急検体・チップ搬送部２０に供給する機能を有している。
緊急検体・チップ搬送部２０は、検体搬送部３により搬送される検体に割り込んで検査する必要がある緊急検体を収容した試験管１０２を、検体分注アーム５のピペットチップの装着位置１ｂ(図１参照)まで搬送するように構成されている。また、緊急検体・チップ搬送部２０は、ピペットチップ供給装置３０から受け取ったピペットチップを検体分注アーム５の装着位置１ｂまで搬送するように構成されている。
【００４６】
検体分注アーム５は、検体搬送部３により吸引位置１ａ（図１参照）に搬送された試験管１００内の検体、または、緊急検体・チップ搬送部２０により装着位置１ｂに搬送された試験管１０２内の検体を、後述する１次反応部１１の回転テーブル部１１ａの保持部１１ｂに保持されるキュベット内に分注する機能を有している。この検体分注アーム５は、モータ５１と、モータ５１に接続される駆動伝達部５２と、駆動伝達部５２に軸５３を介して取り付けられるアーム部５４と、アーム部５４を支持するアーム支持部５６と、アーム支持部５６を水平方向に移動可能な水平駆動機構部５６とを備えている。駆動伝達部５２は、モータ５１からの駆動力によりアーム部５４を、軸５３を中心に回動させるとともに、上下方向（Ｚ方向）に移動させることが可能である。
アーム部５４は、ノズル部（図示せず）を備えており、このノズル部の先端には、緊急検体・チップ搬送部２０の搬送ラック２３（図１参照）により搬送されたピペットチップが装着される。
チップ脱離部１４０は、検体分注アーム５に装着されたピペットチップを脱離するために設けられている。このチップ脱離部１４０は、ピペットチップの上縁に当接して検体分注アーム部からピペットチップを脱離させる解除片と、脱離されたピペットチップを収容するためのチップ収容部（図示せず）とを備えている。
【００４７】
試薬設置部６は、捕捉抗体を含むＲ１試薬が収容される試薬ビンおよび標識抗体を含むＲ３試薬が収容される試薬ビンを設置するために設けられている。
【００４８】
試薬設置部７は、磁性粒子を含むＲ２試薬が収容される試薬ビンを設置するために設けられている。
【００４９】
キュベット供給部１３は、複数のキュベット（図示せず）を１次反応部１１の回転テーブル部１１ａの保持部１１ｂに順次供給することが可能なように構成されている。
【００５０】
１次反応部１１は、回転テーブル部１１ａの保持部１１ｂに保持されるキュベットを所定の期間毎に所定の角度だけ回転移送するとともに、キュベット内の検体、Ｒ１試薬およびＲ２試薬を攪拌するために設けられている。この１次反応部１１は、Ｒ１試薬およびＲ２試薬が収容されたキュベットを後述するＢＦ分離部１４に搬送する検体搬送部１１ｃを備える。
試薬分注アーム８は、試薬設置部６に設置される試薬ビン内のＲ１試薬を吸引するとともに、その吸引したＲ１試薬を１次反応部１１の回転テーブル部１１ａの保持部１１ｂの検体が分注されたキュベット内に分注するための機能を有している。
【００５１】
試薬分注アーム９は、試薬設置部７に設置される試薬ビン内のＲ２試薬を１次反応部１１の検体およびＲ１試薬が分注されたキュベット内に分注するための機能を有している。
【００５２】
ＢＦ分離部１４は、１次反応部１１の容器搬送部１１ｃによって搬送されたキュベット内の試料から未反応のＲ１試薬（不要成分）と磁性粒子とを分離する機能と、２次反応部１２の容器搬送部１２ｃによって搬送されたキュベット内の試料から未反応のＲ３試薬（不要成分）と磁性粒子とを分離する機能とを有する。未反応のＲ１試薬などが分離されたＢＦ分離部１４のキュベットは、搬送キャッチャ部（図示せず）によって２次反応部１２の回転テーブル部１２ａの保持部１２ｂに搬送される。
【００５３】
２次反応部１２は、１次反応部１１と同様の構成を有しており、回転テーブル部１２ａの保持部１２ｂに保持されるキュベットを所定の期間毎に所定の角度だけ回転移送するとともに、キュベット内の検体、Ｒ１試薬、Ｒ２試薬、Ｒ３試薬およびＲ５試薬を攪拌するために設けられている。この２次反応部１２は、攪拌された検体などが収容されたキュベットをＢＦ分離部１４に搬送する検体搬送部１２ｃを有する。検体搬送部１２ｃは、ＢＦ分離部１４により処理されたキュベットを再び回転テーブル部１２ａの保持部１２ｂに搬送する機能を有している。
【００５４】
試薬分注アーム１０は、試薬設置部６に設置される試薬ビン内のＲ３試薬を吸引するとともに、その吸引されたＲ３試薬を１次反応部１１の検体、Ｒ１試薬およびＲ２試薬が分注されたキュベット内に分注するための機能を有している。また、試薬分注アーム１０は、免疫分析装置１の下部に設置される図示しない試薬ビン内の発光基質を含むＲ５試薬を２次反応部１２の検体、Ｒ１試薬、Ｒ２試薬およびＲ３試薬が収容されたキュベット内に分注するための機能を有している。
【００５５】
検出部１５は、所定の処理が行なわれた検体の抗原に結合する標識抗体と発光基質との反応過程で生じる光を光電子増倍管（Ｐｈｏｔｏ  Ｍｕｌｔｉｐｌｉｅｒ  Ｔｕｂｅ）で検出することにより、その検体に含まれる抗原の量を測定するために設けられている。
【００５６】
以上のように構成された測定装置２をスムーズに稼動させ、所定の性能を発揮させるためには、ユーザが種々のメンテナンスを実施する必要がある。本実施形態では、かかるメンテナンスのスケジュールが制御装置４のハードディスク４０１ｄに記憶され、この記憶されたメンテナンスの予定が表示部４ｂ（図１及び図４参照）に表示されるように構成されている。その際、メンテナンスの予定は、その種類に応じて、日付が一覧表示された「カレンダ形式」にて表示部４ｂに表示される。ユーザは、表示部４ｂに表示されたメンテナンスの予定を確認しながら、種々のメンテナンスを実施することができる。
【００５７】
なお、「カレンダ形式」とは、例えば七曜表のように一行が１週間単位で区切られた１ヶ月分の日付が一覧表示され、それぞれの日付の下に未実施のメンテナンス名を表示する形式のことである。すなわち、日付又は週を一覧表示するとともに各日付に対応付けてメンテナンスの実施状況を表示する形式のことである。このようなカレンダ形式を用いれば、メンテナンスの予定を把握するのに便利である。また、１ヶ月分を一覧表示することに限定されるものではなく、例えば、１〜２週間分を一覧表示してもよい。
【００５８】
以下、本発明の実施形態に係る免疫分析装置１の保守動作を図面に基づいて説明する。
【００５９】
制御装置４の制御部４ａ内に設けられたハードディスク４０１ｄには、本発明の実施の形態に係る測定装置２のメンテナンスに関するコンピュータプログラム（アプリケーションプログラム４０４aの一部）が記憶されている。このコンピュータプログラムは、ハードディスク４０１ｄから読み出され、ＲＡＭ４０１ｃにロードされて、ＣＰＵ４０１ａが実行するようになっている。
【００６０】
一方、測定装置２の制御部2ａ内に設けられたＲＯＭ２ｃ（図３参照）には、本発明の実施の形態に係る保守動作のコンピュータプログラムが記憶されている。このコンピュータプログラムは、ＲＯＭ２ｃから読み出され、ＲＡＭ２dにロードされて、ＣＰＵ２ｂが実行するようになっている。
〔保守スケジュール画面の表示まで〕
図６に示すように、測定装置２の電源（図示しない）が投入されると、ステップＳ２４において、制御部2ａの初期化（プログラムの初期化）が行われるとともに、測定装置２の各部の動作チェックが行われ、測定装置２（図１〜図３参照）がスタンバイ状態となる。
【００６１】
そして、図５に示すように制御装置４（コンピュータ４０１）の電源（図示しない）が投入されると、ステップＳ１において、制御装置４の初期化（プログラムの初期化）が行われ、表示部４ｂにメニュー画面が表示される（ステップＳ２）。
【００６２】
図７は、表示部４ｂに表示されるメニュー画面Ｗ１を示す図である。図７に示すように、メニュー画面Ｗ１は、メニューバーＢ１、ツールバーＢ２、機能表示領域Ｒ、ステータスバーＢ３を有している。メニューバーＢ１には、操作画面におけるルートメニューが表示される。それぞれのルートメニューには、サブメニューが存在し、図示しないマウスやキーボード５ｃの入力によって、プルダウンメニューを表示することができる。また、ツールバーＢ２には、メニュー画面Ｗ１内で使用頻度の高い機能を実行するための複数のツールボタンアイコンが表示されている。また、ステータスバーＢ３は、測定装置２を使用する際に、消耗品となるピペットチップ、キュベット、試薬等の装置内の在庫状態や装置の異常状態を表示するための領域である。
【００６３】
機能表示領域Ｒには、画面遷移や測定装置２の検量線測定、精度管理、検体測定等の測定装置２の動作のショートカットボタンが表示される。本実施形態では、メニュー画面Ｗ１の機能表示領域Ｒには、制御装置４（コンピュータ４０１）と測定装置２とをシャットダウンさせるための「シャットダウンボタン」Ｒ１１、検体分析装置を運用する動作のショートカットボタンが設けられた画面に遷移するための「コントローラボタン」Ｒ１２等が設けられている。
【００６４】
メニュー画面Ｗ１のショートカットボタンのうち、コントローラボタンＲ１２が選択されると（ステップＳ３でＹｅｓ）、表示部４ｂには、図８に示すコントローラメニュー画面Ｗ２が表示される（ステップＳ４）。このコントローラメニュー画面W２において、メニューバーB１、ツールバーB２、ステータスバーB３に表示される内容は、上述したメニュー画面W１と同様である。
【００６５】
図８に示すように、コントローラメニュー画面Ｗ２の機能表示領域Ｒには、測定装置２の運用（消耗品の交換、メンテナンス等）に関するショートカットボタンが表示される。本実施形態では、機能表示領域Ｒには測定装置２の保守スケジュールを確認するための「スケジュールボタン」Ｒ２１、測定装置２と制御装置４（コンピュータ４０１）をシャットダウンさせるための「シャットダウンボタン」Ｒ２２等が設けられている。
〔保守スケジュール画面の表示〕
コントローラメニュー画面Ｗ２のショートカットボタンのうち、スケジュールボタンＲ２１が選択されると（ステップＳ５でＹｅｓ）、表示部４ｂには、図９に示すスケジュールメニュー画面Ｗ３が表示される（ステップＳ６）。
【００６６】
図９に示すように、スケジュールメニュー画面Ｗ３の機能表示領域Ｒは、測定装置２のメンテナンスの予定をカレンダ表示するためのカレンダ表示領域Ｂ５と、メニューバーＢ１に表示されたルートメニューのショートカットボタンが表示される操作パネル実行ボタン領域Ｂ６と、操作パネル実行ボタン領域Ｂ６に表示されるボタン群を切り替えるためのボタンが表示される操作パネル選択ボタン領域Ｂ７とを有している。
【００６７】
また、カレンダ表示領域Ｂ５には、表示するカレンダの種類を選択するタブを有する表示カレンダ選択部Ｂ５１が設けられている。この表示カレンダ選択部Ｂ５１は、測定装置２の実施予定の保守項目をカレンダ形式にて表示するためのカレンダ表示タブと、測定装置２の保守項目を保守周期別に表示するための項目別表示タブとを有する。なお、項目別表示タブが選択されると、スケジュールメニュー画面Ｗ３のカレンダ表示領域Ｂ５に図１０に示す保守項目別のカレンダが表示される。
【００６８】
カレンダ表示領域Ｂ５には、実施予定の保守項目を表示するカレンダの「年月」を表示するカレンダ年月表示部Ｂ５１０ａと、カレンダ年月表示部Ｂ５１０ａに表示された「年月」のカレンダを表示するカレンダを表示するカレンダ表示部Ｂ５１０ｂと、カレンダ表示部Ｂ５１０ｂに前月のカレンダを表示させるための前月表示ボタンＢ５１０ｃと、カレンダ表示部Ｂ５１０ｂに次月のカレンダを表示させるための次月表示ボタンＢ５１０ｄが設けられている。
【００６９】
カレンダ表示部Ｂ５１０ｂには、グリッド線によって区画された１ヶ月分の日付が七曜日毎に表示される。各日付のグリッドには、免疫分析装置１にて未実施の保守項目がテキスト表示される。さらに、カレンダ表示部Ｂ５１０ｂには、免疫分析装置１が自動的に起動し、測定可能となる測定スタンバイ状態となるスタンバイ時刻（以下ウェイクアップ時刻という）が設定されている場合に、ウェイクアップアイコンＢ５１０eが表示される。かかるウェイクアップ時刻が設定されている場合には、このスタンバイ時刻の所定時間前（例えば３０分前）に免疫分析装置１が起動する。この所定時間とは、免疫分析装置１が起動してからスタンバイ状態となるまでに必要な時間であり、この間に免疫分析装置１の初期化動作（例えば、各ユニットのモータの原点調整、前述の検出部１５の加温及び試薬設置部６及び試薬設置部７の冷却等の温度調節）が行われる。また、デフォルトの休日として、土日が設定されている。このカレンダ表示部Ｂ５１０ｂ（カレンダ表示領域Ｂ５）に表示される保守項目及びその実施周期や休日、ウェイクアップ時刻の設定等は、保守カレンダ設定（ステップＳ８）にて設定することができる。この保守カレンダ設定で毎日行う保守項目として設定された場合は、図９に示すように、休日以外の日付のグリッドに毎日実施する予定の保守項目がテキスト表示される。
【００７０】
なお、ウェイクアップアイコンＢ５１０eにマウス（図示せず）のカーソルが重なると、カーソルで指定された日付におけるウェイクアップ時刻が表示されたポップアップウィンドウＢ５１０ｆが表示される。さらに、ウェイクアップアイコンＢ５１０eがクリックされると、ウェイクアップ時刻を個別に変更するためのウェイクアップ時刻変更ダイアログが表示される。ユーザは、このウェイクアップ時刻変更ダイアログに、所望のウェイクアップ時刻を入力することにより、保守カレンダ設定で設定された基準のウェイクアップ時刻を日付毎に変更することができる。なお、ウェイクアップ時刻変更の詳細については、後で述べる。
【００７１】
保守カレンダ設定（ステップＳ８）は、表示部４ｂにスケジュールメニュー画面Ｗ３が表示されているときに、メニューバーＢ１に表示されたメニュー（「ファイル（Ｆ）や「編集」（Ｅ）」のうち、「画面操作」（Ｄ）のサブメニューからカスタマイズが選択されることにより（ステップＳ７でＹｅｓ）、実行することができる。なお、保守カレンダ設定については、後で詳述する。
〔保守作業の実施〕
次に、ステップＳ９において、カレンダ表示部Ｂ５１０ｂに表示されたカレンダの日付が表示されたグリッド（枠）のうち5月10日のグリッドが選択されると（ステップＳ９でＹｅｓ）、図１１に示すような指定日に実施する保守作業選択ダイアログＤ１がスケジュールメニュー画面Ｗ３の前面にオーバーラップして表示される（ステップＳ１０）。一方、グリッド（枠）が選択されなければ（ステップＳ９でＮｏ）、処理がステップＳ１９へ進む。なお、本実施形態においては、2007年５月１０日が、操作者が装置を操作している当日である、という設定である。
【００７２】
図１１に示すように、この保守作業選択ダイアログＤ１には、指定日を表示する指定日表示部Ｄ２ａと、その指定日に実施予定および実施済みの保守項目のリストを表示するための保守項目表示部Ｄ２ｂと、保守項目表示部Ｄ２ｂに表示された保守項目が実施されたか否かをチェックするチェックボックス表示部Ｄ２ｃと、保守項目表示部Ｄ２ｂに表示されている保守項目の一つを選択するためのカーソルを上下に移動させるためのスクロールボタンが表示されるスクロールボタン表示領域Ｄ２ｄとを有する。なお、図１１においては、保守項目のうち「チップの補充」がカーソルで選択されている。
【００７３】
また、保守作業選択ダイアログＤ１には、保守項目を実行するための「実行」ボタンＤ２ｅと、実施する保守項目を追加するための「追加」ボタンＤ２ｆ、指定日に実施する保守項目のリストから実施しない保守項目を削除するための「削除」ボタンＤ２ｇ、保守作業選択ダイアログＤ１を終了させるための「閉じる」ボタンＤ２ｈとが設けられている。
【００７４】
なお、本実施形態においては、実施保守項目表示部Ｄ２ｂには、後述する保守設定において、ユーザによって新規追加された保守項目である「キュベット廃棄」、「チップの補充」、「キュベットの補充」及び「廃液の処理」と、予めデフォルトとして、装置に設定されており、メンテナンス動作を伴う保守項目である「ピペット洗浄」と、予めデフォルトとして、装置に設定されているが、メンテナンス動作を伴わない保守項目である「装置の清掃」とが表示されている。
【００７５】
表示された保守項目を実施する場合には、まず、スクロールボタンを用いて、実施したい保守項目をカーソルで選択する。選択された実施項目は、青色で表示（図では、ハッチング表示）され、ユーザが「実行」ボタンＤ２ｅを押下すると（ステップＳ1１でＹｅｓ）、ＣＰＵ４０１ａは、実施する保守項目が保守動作を伴うものであるか否かを判定する（ステップＳ１２）。
〔実施した保守項目が保守動作を伴う場合〕
実行された保守項目が保守動作を伴うもの（本実施形態では、「ピペット洗浄」）であれば（ステップＳ１２でＹｅｓ）、制御装置４のＣＰＵ４０１ａは、測定装置２の制御部2ａに、保守動作開始コマンドを送信する（ステップＳ１５）。
【００７６】
一方、測定装置２のＣＰＵ２ｂは、保守動作開始コマンドを受信したか否かの判断をする（ステップＳ２５）。コマンドを受信した場合（ステップＳ25でＹｅｓ）、ＣＰＵ２ｂは、該当する機構部が所定のシーケンスに従って保守動作を開始するように、その機構部を制御する（ステップＳ２６）。
【００７７】
次に、ステップＳ２７において、ＣＰＵ２ｂは、所定のメンテナンス動作が完了したか否かの判断を行い、メンテナンス動作が完了した場合（ステップＳ２７でＹｅｓ）は、メンテナンス動作の完了情報を制御装置４の制御部４ａに送信する（ステップＳ２８）。
【００７８】
一方、制御装置４のＣＰＵ４０１ａは、保守動作開始コマンドを測定装置２の制御部2ａに送信した後、ステップＳ１６において、メンテナンス動作完了の情報を受信したか否かの判断を行う。
【００７９】
メンテナンス動作完了の情報を受信した場合（ステップＳ１６でＹｅｓ）、ＣＰＵ４０１ａは保守履歴の更新を行う（ステップＳ１７）。具体的には、実施したメンテナンス動作を伴う保守項目及び日付をログインしたユーザ名と対応付けてハードディスク４０１ｄに記憶するとともに、保守作業選択ダイアログＤ１に表示された該当保守項目のチェックボックスにチェックが表示され、カレンダ表示部Ｂ５１０ｂからは該当する保守項目が消去される。
〔実施した保守項目が保守動作を伴わない場合〕
図５のステップS12において、実行された保守項目が保守動作を伴わない場合（図１１に示された保守項目のうち「キュベット廃棄」、「チップの補充」、「キュベットの補充」、「装置の清掃」及び「廃液の処理」の場合）（ステップＳ１２でＮｏ）、ＣＰＵ４０１ａは実施された保守項目の履歴の更新を行う（ステップＳ１７）。具体的には、実施された項目及び日付とログインしたユーザ名とを対応付けてハードディスク４０１ｄに記憶するとともに、保守作業選択ダイアログＤ１に表示された該当保守項目（図１１参照）のチェックボックスにチェックが表示され、カレンダ表示部Ｂ５１０ｂからは該当する保守項目が消去される。
【００８０】
次に、ステップＳ１８において、ＣＰＵ４０１ａは、保守作業選択ダイアログＤ１を終了させるための「閉じる」ボタンＤ２ｈが押下されたか否かを判定する。「閉じる」ボタンＤ２ｈがユーザにより押下されると（ステップＳ１８でＹｅｓ）、保守作業選択ダイアログＤ１を終了させ、処理をステップＳ１１に戻す。なお、保守作業選択ダイアログＤ１が閉じられると、表示部４ｂにはスケジュールメニュー画面Ｗ３が表示されている。
〔項目別カレンダ表示〕
次に、ステップＳ１９において、ＣＰＵ４０１ａは、スケジュールメニュー画面Ｗ３の項目別表示タブが選択されたか否かを判定する。項目別表示タブが選択された場合、表示部４ｂに表示されたスケジュールメニュー画面Ｗ３のカレンダ表示領域Ｂ５に図１０に示す保守項目別のカレンダを表示する（ステップＳ２０）。
【００８１】
図１０に示すように、項目別表示タブは、メンテナンスの種類に応じて、４つの表示領域を有する。すなわち、項目別表示タブは、装置の稼働日毎に通常行われる「Daily保守点検項目」表示領域Ｂ５１１ａ、週毎に行われる「Weekly保守点検項目」表示領域Ｂ５１１ｂ、月毎に行われる「Monthly保守点検項目」表示領域Ｂ５１１ｃ、必要に応じて行われる或いは周期が設定されていない保守項目「その他」表示領域Ｂ５１１ｄ、各表示領域に表示された保守項目を選択するカーソルを上下に移動させるための移動ボタン表示領域Ｂ５１１ｅを有する。
【００８２】
これら「Daily保守点検項目」、「Weekly保守点検項目」、「Monthly保守点検項目」、「その他」は、ステップＳ８のカレンダ表示設定で設定された保守項目の周期の設定に基づいて表示されており、前述したカレンダ形式にてメンテナンスの履歴が記録されている。
【００８３】
本実施形態では、「Daily保守点検項目」として、測定装置２の周辺の清掃を行う「装置の清掃」と、測定装置２で使用された廃液を貯留した廃液タンク内の廃液を処理する「廃液の処理」と、測定装置２で使用される消耗品の１つであるキュベットを補充する「キュベットの補充」とが表示されている。
【００８４】
また、「Weekly保守点検項目」として、測定装置２のすべての分注アーム（試薬分注アーム８、９および１０）を強化洗浄（各検体の測定時に行われる洗浄とは別に行われる、洗浄の程度を強化した洗浄のこと）する「ピペット洗浄」と、測定終了後に図示しないキュベット廃棄ボックスに収集されたキュベットを廃棄する「キュベット廃棄」が表示されている。
【００８５】
また、「Monthly保守点検項目」として、ピペットチップ供給装置３０にピペットチップを供給する「チップ補充」と、測定装置２で使用される試薬を発注する「試薬発注」とが表示されている。
【００８６】
各保守点検項目においては、各日付に実施状況マークが表示される。本実施の形態においては、実施予定の保守項目については、作業工具のスパナを模した実施予定守項目アイコンＢ５１１ｆが表示されており、実施が完了した保守項目については、チェックマークを模した実施済保守項目アイコンＢ５１１ｇが表示されている。さらに、未実施でかつ実施予定日を経過しているものについては、実施予定保守項目アイコンＢ５１１ｆのボックスが赤色で反転表示（図中ではハッチングで表現）された未実施保守項目アイコンＢ５１１ｈが表示される。このように、メンテナンスの履歴を保守項目別に一覧表示することにより、ユーザは、実施予定の保守項目が実行されたか否かを容易に確認することができ、メンテナンスが行われていない項目を一目で認識することができる。
〔シャットダウン動作〕
次に、ステップＳ２１において、ＣＰＵ４０１ａは、スケジュールメニュー画面Ｗ３のツールバーＢ２に表示されるツールボタンのうち、表示部４ｂにメニュー画面Ｗ１表示させるアイコンが選択されたか否かを判定する。メニュー画面Ｗ１表示させるアイコンが選択された場合には（ステップＳ２１でＹｅｓ）、ＣＰＵ４０１ａは、処理をステップＳ２に戻し、表示部４ｂにメニュー画面Ｗ１を表示させる。ＣＰＵ４０１ａは、メニュー画面Ｗ１のシャットダウンボタンR11が選択されたか否かを判定し（ステップS13）、シャットダウンボタンR11が選択されると（ステップR13でYes）、測定装置２のCPU2ｂにシャットダウンコマンドデータを送信する（ステップ２３）。一方、ステップＳ２９において、測定装置２のＣＰＵ２ｂは、シャットダウンコマンドデータを受信したか否かを判定する。シャットダウンコマンドデータを受信した場合（ステップＳ２９でＹｅｓ）、ＣＰＵ２ｂは、測定装置２のシャットダウン動作を実行する（ステップＳ３０）。
【００８７】
表示部４ｂにメニュー画面Ｗ１表示させるアイコンが選択されない場合には（ステップＳ２１でＮｏ）、さらに、ステップＳ２２において、カレンダ表示タブが選択されているか否かを判定し、カレンダ表示タブが選択されている場合は（ステップＳ２２でＹｅｓ）、処理をステップＳ７へ戻し、カレンダ表示タブが選択されていない場合は（ステップＳ２２でＮｏ）、処理をステップＳ２１に戻す。
【００８８】
なお、シャットダウン動作は、表示部４ｂにコントローラメニュー画面Ｗ２が表示されている場合にも実行させることができる。
【００８９】
図５に示すように、表示部４ｂにコントローラメニュー画面Ｗ２が表示されている場合（ステップＳ５でＮｏ）、ＣＰＵ４０１ａは、ステップＳ１４において、シャットダウンボタンＲ２２が選択されたか否かを判定する。シャットダウンボタンＲ２２が選択された場合、ＣＰＵ４０１ａは、処理を図６のステップＳ２３へ進め、測定装置２の制御部2ａに、シャットダウンコマンドデータを送信する。一方、ステップＳ２９において、ＣＰＵ２ｂは、シャットダウンコマンドデータを受信したか否かを判定する。コマンドを受信した場合（ステップＳ２９でＹｅｓ）、ＣＰＵ２ｂは、ステップＳ３０において、測定装置２のシャットダウン動作を実行する。
〔カレンダ表示領域Ｂ５に表示されるカレンダの表示条件の設定〕
次に、ステップＳ８で実行されるカレンダ表示の表示条件を設定する処理について説明する。図１２及び図１３は、図５に示すフローチャートのステップＳ８で実行されるカレンダ表示の表示条件を設定する処理を説明するためのサブルーチンである。図１４〜図１７は、表示条件を設定するためのダイアログウィンドウを示す図である。まず、図１４〜図１７を説明した後、カレンダ表示の表示条件を設定するための処理フローについて説明する。
【００９０】
表示部４ｂにスケジュールメニュー画面Ｗ３が表示されているときに、メニューバーＢ１のメニューバーに表示された「画面操作」サブメニューから「カスタマイズ」が選択されると（ステップＳ７でＹｅｓ）、カレンダの表示条件等のカスタマイズを行うことが可能なカスタマイズダイアログＤ１(図１４)が、スケジュールメニュー画面Ｗ３の前面にオーバーラップして表示される（ステップＳ８０１）。
【００９１】
図１４〜図１７に示すように、カスタマイズダイアログＤ１は、保守項目の周期、新規の保守項目、休日設定、装置のウェイクアップ時刻を設定するためのタブを選択するタブ選択領域Ｄ２０と、設定したカレンダの表示条件を制御部４ａのハードディスク４０１dに記録して、ダイアログを閉じるための「OK」ボタンＤ２１とが設けられている。
【００９２】
タブ選択領域Ｄ２０は、選択した保守項目をそれぞれ毎日、毎週及び毎月実施する保守項目として設定するための保守周期設定タブ「毎日」と、保守周期設定タブ「毎週」と、保守周期設定タブ「毎月」と、新規に保守項目を設定するための保守項目「新規追加」タブと、装置の使用環境に応じてカレンダの休日を変更するための「曜日設定」タブと、測定装置２のウェイクアップ時刻を設定するための「ウェイクアップ設定」タブとを有している。なお、「OK」ボタンＤ２１は、上記の何れのタブの場合でも共通して表示される。
【００９３】
保守周期設定タブ（毎日）、保守周期設定タブ（毎週）及び保守周期設定タブ（毎月）は、カレンダに表示される周期的な保守項目の周期の設定を行うことができる。図１４に示すように、保守周期設定タブ（毎日）は、カレンダに表示可能な保守項目の選択肢一覧を示す選択項目一覧部Ｄ２０ａと、毎日実施される保守項目を設定するフィールドである登録用項目一覧部Ｄ２０ｂとを有している。
【００９４】
また、保守周期設定タブ（毎日）には、選択項目一覧部Ｄ２０ａのカーソルで選択されている保守項目を登録用項目一覧部Ｄ２０ｂのカーソル位置に挿入する挿入ボタンＤ２０ｃと、登録用項目一覧部Ｄ２０ｂに挿入された保守項目を選択項目一覧部Ｄ２０ａへ戻す解除ボタンＤ２０ｄとが設けられている。
【００９５】
ユーザがボタンＤ２０ｃ，Ｄ２０ｄを押下することにより、毎日実施したい保守項目を選択項目一覧部Ｄ２０ａから登録用項目一覧部Ｄ２０ｂへ移動させることができ、毎日実施したい保守項目をユーザが自由に選択することができる。「OK」ボタンD２１が押下され、選択された保守項目の設定が確定した場合、設定された表示項目は、制御部４ａのハードディスク４０１dに記憶され、設定された条件（保守予定）が、カレンダ表示領域Ｂ５に表示されるカレンダに表示される。  なお、保守周期設定タブ（毎週）と、保守周期設定タブ（毎月）については、周期の設定が毎週であるか毎月であるかの違いのみであるので、ここでは、その説明を省略する。
【００９６】
図１５の保守項目新規追加タブでは、デフォルトで設定された以外の保守項目の設定（新規作成、削除、編集）を実行することが可能である。保守項目新規追加タブは、制御部４ａのハードディスク４０１dに登録されている保守項目の一覧を表示する保守項目一覧部Ｄ２３ａと、保守項目一覧部Ｄ２３ａにおいてカーソルで選択されている保守項目の名称を表示する保守項目名表示部Ｄ２３ｂと、保守項目一覧部Ｄ２３ａで保守項目を選択するためのカーソルを１つ上に移動させる「上へ移動」ボタンＤ２３ｃ、保守項目一覧部Ｄ２３ａで保守項目を選択するためのカーソルを１つ下に移動させる「下へ移動」ボタンＤ２３ｄが設けられている。
【００９７】
新しい保守項目を追加する場合、まず、ユーザは、上へ移動ボタンＤ２３ｃ及び下へ移動ボタンＤ２３ｄを用いて、保守項目一覧部Ｄ２３ａで保守項目を選択するためのカーソルを空欄まで移動させる。そして、ユーザは、保守項目名表示部Ｄ２３ｂに新たな保守項目の名称を入力すればよい。また、その保守項目の名称を設定（変更）したい場合には、ユーザは、名称を変更したい保守項目にカーソルをあわせ、保守項目名表示部Ｄ２３ｂに名称を入力すればよい。例えば、図１５に示すように、ユーザは、キーボード４ｃを用いて、保守項目名表示部Ｄ２３ｂに設定された保守項目を「試薬の発注」の名称に変更することができる。なお、名称を変更できるのは、新規に追加した項目のみであり、デフォルトで設定されている保守項目は、名称を変更することができない。また、保守項目一覧部Ｄ２３ａには、予め設定されたデフォルトの保守項目とユーザによって追加された保守項目とが表示される。さらに、識別が容易なように、例えば、デフォルトの保守項目が青色で表示され、追加の保守項目が赤色で表示される。
【００９８】
曜日設定タブは、図１６に示すように、休日が設定されたカレンダを表示するための設定補助カレンダ表示領域Ｄ２４０と、設定補助カレンダ表示領域Ｄ２４０及びカレンダ表示領域Ｂ５に表示されるカレンダの休日設定を行うためのチェックボックスが表示される休日設定チェックボックス表示領域Ｄ２４１と、設定補助カレンダ表示領域Ｄ２４０に表示されるカレンダの週始の曜日を設定するための「開始日」設定領域Ｄ２４２と、月毎の検査結果報告や会計報告等に用いられる「〆日」設定領域Ｄ２４３とを有する。
【００９９】
設定補助カレンダ表示領域Ｄ２４０は、休日を設定するためのカレンダの「年月」を表示するカレンダ年月表示部Ｄ２４０ａと、カレンダ年月表示部で表示されたカレンダを表示するカレンダ表示部Ｄ２４０ｂと、カレンダ表示部Ｂ５１０ｂに表示されるカレンダを一月先に変更する「翌月」ボタンＤ２４０ｃと、カレンダ表示部に表示されたカレンダを一月前に変更する「先月」ボタンＤ２４０ｄを備える。
【０１００】
休日設定チェックボックス表示領域Ｄ２４１には、毎週月曜日〜毎週日曜日を休日として設定するチェックボックス群が設けられている。これらのチェックボックスにチェックが入ると、チェックされた曜日が休日として設定され、設定補助カレンダ表示領域Ｄ２４０に表示されるカレンダに休日が赤色で表示されると共に、カレンダ表示領域Ｂ５に表示されるカレンダにも設定が反映される。本実施形態では、日曜日が休日として設定されている例を示している。これにより、各施設の装置の利用状況に応じて、平日を休日として設定することも可能である。
【０１０１】
「開始日」設定領域Ｄ２４２は、カレンダ表示部Ｂ５１０ｂに表示されるカレンダの週の先頭に来る曜日を選択するための開始日選択コンボボックスＤ２４２aからなる。マウス等の入力手段によって、この開始日選択コンボボックスＤ２４２aをクリックされると、月曜日から日曜日までの選択メニュー（図示せず）が表示され、任意の曜日を選択することが可能である。
【０１０２】
「〆日」設定領域Ｄ２４３は、カレンダ表示部Ｂ５１０ｂに表示されるカレンダの月初と月末を〆切日として設定するための〆日設定コンボボックスＤ２４３ａからなる。マウス等の入力手段によって、この開始日選択コンボボックスＤ２４３ａがクリックされると、月初や月末等の選択メニュー（図示せず）が表示され、月初や月末を任意に〆日として設定することができる。なお、月初めとなるのは、カレンダ表示部Ｂ５１０ｂに表示される休日を除く最初の日付となり、月末となるのは、カレンダ表示部Ｂ５１０ｂに表示される休日を除く最後の日付となる。これにより、月毎の検査結果報告や会計報告等の締め切り日をカレンダに表示させることができ、装置の利便性がさらに向上する。
【０１０３】
ウェイクアップ設定タブは、図１７に示すように、基準となるウェイクアップ時刻を設定するための基準ウェイクアップ時刻設定部Ｄ２５ａを有している。キーボード５ｃ等を用いて、ユーザが基準ウェイクアップ時刻設定部Ｄ２５ａに時刻を入力すると、入力された時刻に測定可能なスタンバイ状態となるように、免疫分析装置１の電源が自動的にＯＮされ、制御部2ａが、前述の検出部１５、試薬設置部６及び試薬設置部７の温度調節を行うウェイクアップ動作を実施する。なお、入力された時刻は基準ウェイクアップ時刻として設定される。このウェイクアップ動作は、保守項目と同様に実施周期を設定することができる。本実施形態では、図１４に示すように、ウェイクアップ動作は、実施周期を変更することが可能な１つの項目として取扱われ、月に１回、週に１回または毎日の何れかの周期を設定することが可能である。図９では、ウェイクアップ動作の周期が毎日に設定され、基準ウェイクアップ時刻が８：１５とされた例が示されている。
【０１０４】
一方、標準ウェイクアップ時刻以外に個別にウェイクアップ時刻を設定することも可能である。この場合は、ユーザが、個別にウェイクアップ時刻を設定したい日付のウェイクアップアイコンＢ５１０eをクリックして、ウェイクアップ時刻変更ダイアログを表示部４ｂに表示させ、キーボード４ｃを用いて、所望のウェイクアップ時刻を入力する。これにより、この基準ウェイクアップ時刻を日付毎に変更することができる。
【０１０５】
上記に説明した図１４〜図１７を用いて、図１２及び図１３に示されたフローを説明する。
【０１０６】
表示部４ｂにスケジュールメニュー画面Ｗ３が表示されているときに、メニューバーＢ１のメニューバーに表示された「画面操作」サブメニューから「カスタマイズ」が選択されると（図５のステップＳ７でＹｅｓ）、カレンダの表示条件等のカスタマイズを行うことが可能なカスタマイズダイアログＤ１が、スケジュールメニュー画面Ｗ３の前面にオーバーラップして表示される（ステップＳ８０１）。
【０１０７】
次に、ステップＳ８０２において、保守周期設定タブ（毎日）が選択されているかを判定する。保守周期設定タブ（毎日）が選択されていれば（ステップＳ８０２でＹｅｓ）、ステップＳ８０４において、毎日実施する予定の保守項目がカーソルで選択されているか否かを判定する。毎日実施する予定の保守項目がカーソルで選択されていれば（ステップＳ８０４でＹｅｓ）、ステップＳ８０５において、毎日実施する予定の保守項目を項目一覧部Ｄ２０ａから表示項目部Ｄ２０ｂへ追加する否かを判定する。毎日実施する予定の保守項目の項目一覧部Ｄ２０ａから表示項目部Ｄ２０ｂへ追加する場合（ステップＳ８０５でＹｅｓ）、ステップＳ８０６において、ボタンＤ２０ｃ，Ｄ２０ｄを押下して、毎日実施予定の保守項目の追加処理を行う。
【０１０８】
一方、保守周期設定タブ（毎日）が選択されていない場合（ステップＳ８０２でＮｏ）、ステップＳ８０３において、保守周期設定タブ（毎日）の表示指示があったか否かを判定する。保守周期設定タブ（毎日）の表示指示があれば（ステップＳ８０３でＹｅｓ）、ステップＳ８０４へと処理が進む。また、ステップＳ８０３、８０４、８０５で判定がＮｏであれば、ステップＳ８０７へと処理が進む。
【０１０９】
次に、ＣＰＵ４０１ａは、ステップＳ８０７において、保守周期設定タブ（毎週）が選択されているかを判定する。保守周期設定タブ（毎週）が選択されていれば（ステップＳ８０７でＹｅｓ）、ステップＳ８０９において、毎週実施する予定の保守項目がカーソルで選択されているか否かを判定する。毎週実施する予定の保守項目がカーソルで選択されていれば（ステップＳ８０９でＹｅｓ）、ステップＳ８１０において、毎週実施する予定の保守項目を追加する否かを判定する。毎週実施する予定の保守項目を追加する場合（ステップＳ８１０でＹｅｓ）、ステップＳ８１１において、ボタンＤ２０ｃ，Ｄ２０ｄを押下して、毎週実施予定の保守項目の追加処理を行う。
【０１１０】
一方、保守周期設定タブ（毎週）が選択されていない場合（ステップＳ８０７でＮｏ）、ステップＳ８０８において、保守周期設定タブ（毎週）の表示指示があったか否かを判定する。保守周期設定タブ（毎週）の表示指示があれば（ステップＳ８０８でＹｅｓ）、ステップＳ８０９へと処理が進む。また、ステップＳ８０８、８０９、８１０で判定がＮｏであれば、ステップＳ８１２へと処理が進む。
【０１１１】
次に、ＣＰＵ４０１ａは、ステップＳ８１２において、保守周期設定タブ（毎月）が選択されているかを判定する。保守周期設定タブ（毎月）が選択されていれば（ステップＳ８１２でＹｅｓ）、ステップＳ８１４において、毎月実施する予定の保守項目がカーソルで選択されているか否かを判定する。毎月実施する予定の保守項目がカーソルで選択されていれば（ステップＳ８１４でＹｅｓ）、ステップＳ８１５において、毎月実施する予定の保守項目を追加する否かを判定する。毎月実施する予定の保守項目を追加する場合（ステップＳ８１５でＹｅｓ）、ステップＳ８１６において、ボタンＤ２０ｃ，Ｄ２０ｄを押下して、毎月実施予定の保守項目の追加処理を行う。
【０１１２】
一方、保守周期設定タブ（毎月）が選択されていない場合（ステップＳ８１２でＮｏ）、ステップＳ８１３において、保守周期設定タブ（毎月）の表示指示があったか否かを判定する。保守周期設定タブ（毎月）の表示指示があれば（ステップＳ８１３でＹｅｓ）、ステップＳ８１４へと処理が進む。また、ステップＳ８１３、８１４、８１５で判定がＮｏであれば、ステップＳ８１７へと処理が進む。
【０１１３】
次に、ＣＰＵ４０１ａは、ステップＳ８１７において、保守項目新規追加タブが選択されているかを判定する。保守項目新規追加タブが選択されていれば（ステップＳ８１７でＹｅｓ）、ステップＳ８１９において、（図１５参照）が選択され、保守項目の新規追加が実行されるか否かを判定する。が選択された場合（ステップＳ８１９でＹｅｓ）、ステップＳ８２０において、保守項目名表示部Ｄ２３ｂに新規保守項目の名称が入力されたか否かを判定する。保守項目名表示部Ｄ２３ｂに新規保守項目の名称が入力された場合、保守項目一覧部Ｄ２３ａに、新規保守項目が追加される（ステップＳ８２１）。
【０１１４】
一方、保守項目新規追加タブが選択されていない場合（ステップＳ８１７でＮｏ）、ステップＳ８１８において、保守項目新規追加タブの表示指示があったか否かを判定する。保守項目新規追加タブの表示指示があれば（ステップＳ８１８でＹｅｓ）、ステップＳ８１９へと処理が進む。また、ステップＳ８１８、８１９で判定がＮｏであれば、ステップＳ８２２へと処理が進む。
【０１１５】
次に、ＣＰＵ４０１ａは、ステップＳ８２２において、曜日設定タブが選択されているかを判定する。曜日設定タブが選択されていれば（ステップＳ８２２でＹｅｓ）、ステップＳ８２４において、休日設定チェックボックス表示領域Ｄ２４１に設けられた各曜日のチェックボックスが変更されたか否かを判定する。チェックボックスが変更されていれば（ステップＳ８２３でＹｅｓ）、設定補助カレンダ表示領域Ｄ２４０に表示されるカレンダにチェック結果が反映され、チェックされた曜日が、赤で表示される（ステップＳ８２５）。また、ＣＰＵ４０１ａは、ステップＳ８２６において、開始日選択コンボボックスＤ２４２aがクリックされたか否かを判定する。コンボボックスＤ２４２aがクリックされた場合（ステップＳ８２６でＹｅｓ）、ある曜日をカレンダ表示部Ｂ５１０ｂに表示されるカレンダの週の先頭に来る曜日として選択する（ステップＳ８２７）。また、ＣＰＵ４０１ａは、ステップＳ８２８において、〆日設定コンボボックスＤ２４３ａがクリックされたか否かを判定する。〆日設定コンボボックスＤ２４３ａがクリックされた場合（ステップＳ８２８でＹｅｓ）、月初や月末を任意に〆日として設定する（ステップＳ８２９）。
【０１１６】
一方、曜日設定タブが選択されていない場合（ステップＳ８２２でＮｏ）、ステップＳ８２３において、曜日設定タブの表示指示があったか否かを判定する。曜日設定タブの表示指示があれば（ステップＳ８２３でＹｅｓ）、ステップＳ８２４へと処理が進む。また、ステップＳ８２４で判定がＮｏであれば、ステップＳ８２６へと処理が進み、ステップＳ８２６で判定がＮｏであれば、ステップＳ８２８へと処理が進み、ステップＳ８２３、Ｓ８２８で判定がＮｏであれば、ステップＳ８３０へと処理が進む。
【０１１７】
次に、ＣＰＵ４０１ａは、ステップＳ８３０において、ウェイクアップ設定タブが選択されているかを判定する。ウェイクアップ設定タブが選択されていれば（ステップＳ８３０でＹｅｓ）、ステップＳ８３２において、ユーザによって、装置が測定可能なスタンバイ状態となる時刻が基準ウェイクアップ時刻設定部Ｄ２５ａに入力される（ステップＳ８３２）。一方、ウェイクアップ設定タブが選択されていない場合（ステップＳ８３０でＮｏ）、ステップＳ８３１において、ウェイクアップ設定タブの表示指示があったか否かを判定する。ウェイクアップ設定タブの表示指示があれば（ステップＳ８３１でＹｅｓ）、ステップＳ８３２へと処理が進む。ステップＳ８３２において、基準ウェイクアップ時刻設定部Ｄ２５ａに時刻が入力されたか否かを判定する（ステップＳ８３３）。また、ステップＳ８３１で判定がＮｏであれば、ステップＳ８３４へと処理が進む。
【０１１８】
次に、ＣＰＵ４０１ａは、設定が終了した旨を示すOKボタンD２１が押下されたか否かを判定する。OKボタンD２１が押下されていれば（ステップＳ８３４でＹｅｓ）、設定したカレンダの表示条件を制御部４ａのハードディスク４０１dに記録して、ダイアログを閉じ、ステップＳ８の処理を終了する。OKボタンD２１が押下されていなければ（ステップＳ８３４でＮｏ）、再び処理をＳ８０２に戻す。
〔ウェイクアップ時刻の変更〕
次に、ウェイクアップ設定タブにて、設定された基準ウェイクアップ時刻を日付毎に変更する場合について詳述する。ウェイクアップアイコンＢ５１０e（図９参照）がクリックされると、図１８に示すウェイクアップ時刻変更ダイアログＤ３が表示される。
【０１１９】
このウェイクアップ時刻変更ダイアログＤ３は、変更するウェイクアップ時刻を入力するための変更ウェイクアップ時刻設定部Ｄ３０と、変更したウェイクアップ時刻を制御部４ａのハードディスク４０１ｄに記録して、ダイアログを閉じるための「ＯＫ」ボタンＤ３１とが設けられている。ウェイクアップアイコンＢ５１０eがクリックされた後にウェイクアップ時刻変更ダイアログＤ３に表示された変更ウェイクアップ時刻設定部Ｄ３０には、基準ウェイクアップ時刻が表示されている。
【０１２０】
この基準ウェイクアップ時刻を変更したい場合、ユーザは、キーボード５ｃ等を用いて、変更ウェイクアップ時刻設定部Ｄ３０に所望のウェイクアップ時刻を入力する。入力後、ユーザによって、「ＯＫ」ボタンＤ３１が押下されると、指定日の標準ウェイクアップ時刻をユーザが所望するウェイクアップ時刻に変更することができる。
【０１２１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２２】
なお、本実施形態では、カスタマイズダイアログＤ１は、タブ選択領域Ｄ２０に、選択した保守項目をそれぞれ毎日、毎週及び毎月実施する保守項目として設定するための保守周期設定タブ「毎日」と、保守周期設定タブ「毎週」と、保守周期設定タブ「毎月」と、新規に保守項目を設定するための保守項目「新規追加」タブと、装置の使用環境に応じてカレンダの休日を変更するための「曜日設定」タブと、測定装置２をすぐに測定可能なスタンバイ状態にしておく時刻を設定するための「ウェイクアップ設定」タブとが設けられている構成について述べたが、これに限定されるものではなく、例えば、ユーザの変更頻度やよりわかりやすいユーザインタフェースを実現するために、周期設定タブを備えたダイアログとそれ以外の設定タブを備えたダイアログとに分けて構成することも可能である。
【図面の簡単な説明】
【０１２３】
【図１】本発明の一実施形態による免疫分析装置の全体構成を示した平面図である。
【図２】図１に示した免疫分析装置の測定装置の構成を示したブロック図である。
【図３】図２に示した測定装置の制御部の構成を示したブロック図である。
【図４】図１に示した免疫分析装置の制御装置の構成を示したブロック図である。
【図５】図１に示した免疫分析装置の保守動作を示すフローチャートである。
【図６】図１に示した免疫分析装置の保守動作を示すフローチャートである。
【図７】図１に示した制御装置の表示部に表示される操作画面（メニュー画面）を示す図である。
【図８】図１に示した制御装置の表示部に表示される操作画面（コントローラメニュー画面）を示す図である。
【図９】図１に示した免疫分析装置にて実施予定の保守項目をカレンダ形式にて表示した図である。
【図１０】図１に示した免疫分析装置にて実施する保守項目を項目別に表示した図である。
【図１１】図９で示したカレンダにて、所定の日付を指定した際に表示されるダイアログウィンドウを示す図である。
【図１２】図５に示すフローチャートのステップＳ８で実行されるカレンダ表示の表示条件を設定する処理を説明するためのサブルーチンである。
【図１３】図５に示すフローチャートのステップＳ８で実行されるカレンダ表示の表示条件を設定する処理を説明するためのサブルーチンである。
【図１４】図９及び図１０に示すカレンダの表示条件を設定するためのダイアログウィンドウを示す図である。
【図１５】図９及び図１０に示すカレンダの表示条件を設定するためのダイアログウィンドウを示す図である。
【図１６】図９及び図１０に示すカレンダの表示条件を設定するためのダイアログウィンドウを示す図である。
【図１７】図９及び図１０に示すカレンダの表示条件を設定するためのダイアログウィンドウを示す図である。
【図１８】図１７に示すウェイクアップ設定タブによって設定されたウェイクアップ時刻を変更するためのダイアログウィンドウを示す図である。
【符号の説明】
【０１２４】
１                        免疫分析装置（分析装置）
１ａ                      吸引装置
２                        測定装置（測定部）
２ａ、４ａ                制御部
２ｂ、４０１ａ            ＣＰＵ
２ｃ、４０１ｂ            ＲＯＭ
２ｄ、４０１ｃ            ＲＡＭ
２ｅ、４０１ｇ            通信インターフェース
３                        検体搬送部
３ａ                      ラックセット部
３ｂ                      ラック貯留部
４                        制御装置
４０１ｄ                  ハードディスク
４０１ｅ                  読出装置
４０１ｆ                  入出力インターフェース
４０１ｈ                  画像出力インタフェース
４０１ｉ                  バス
４ｂ                      表示部
４ｃ                      キーボード
４０１                    コンピュータ
４０４                    可搬型記憶媒体
４０４ａ                  アプリケーションプログラム
５                        検体分注アーム
５１                      モータ
５２                      駆動伝達部
５３                      軸
５４                      アーム部
５５                      アーム支持部
５６                      水平駆動機構部
６，７                    試薬設置部
８，９．１０              試薬分注アーム
１００                    試験管
１４０                    チップ脱離部
１１                      １次反応部
１１ａ                    回転テーブル部
１１ｂ                    保持部
１２                      ２次反応部
１３                      キュベット供給部
１４                      ＢＦ分離部
１５                      検出部
２０                      緊急検体・チップ搬送部
３０                      ピペットチップ供給装置
Ｗ１                      メニュー画面
Ｂ１                      メニューバー
Ｂ２                      ツールバー
Ｂ３                      ステータスバー
Ｒ                        機能表示領域
Ｒ１１                    シャットダウンボタン
Ｒ１２                    コントローラボタン
Ｗ２                      コントローラメニュー画面
Ｒ２１                    スケジュールボタン
Ｒ２２                    シャットダウンボタン
Ｗ３                      スケジュール画面
Ｂ５                      カレンダ表示領域
Ｂ５１                    表示カレンダ選択部
Ｂ５１０ａ                カレンダ年月表示部
Ｂ５１０ｂ                カレンダ表示部
Ｂ５１０ｃ                前月表示ボタン
Ｂ５１０ｄ                次月表示ボタン
Ｂ５１０e                ウェイクアップアイコン
Ｂ５１０ｆ                ポップアップウィンドウ
Ｂ６                      操作パネル実行ボタン領域
Ｂ７                      操作パネル選択ボタン領域
Ｄ１                      保守作業選択ダイアログ
Ｄ２ａ                    指定日表示部
Ｄ２ｂ                    実施保守項目表示部
Ｄ２ｃ                    チェックボックス表示部
Ｄ２ｄ                    スクロールボタン表示領域
Ｄ２ｅ                    「実行」ボタン
Ｄ２ｆ                    「追加」ボタン
Ｄ２ｇ                    「削除」ボタン
Ｄ２ｈ                    「閉じる」ボタン
Ｂ５１１ａ                「Ｄａｉｌｙ保守項目表示領域」
Ｂ５１１ｂ                「Ｗｅｅｋｌｙ保守項目表示領域」
Ｂ５１１ｃ                「Ｍｏｎｔｈｌｙ保守項目表示領域」
Ｂ５１１ｄ                「その他表示領域」
Ｂ５１１ｅ                移動ボタン表示領域
Ｂ５１１ｆ                実施予定保守項目アイコン
Ｂ５１１ｇ                実施済保守項目アイコン
Ｂ５１１ｈ                未実施保守項目アイコン
Ｄ２                      カスタマイズダイアログ
Ｄ２０ａ                  項目一覧部
Ｄ２０ｂ                  表示項目部
Ｄ２０ｃ                  挿入ボタン
Ｄ２０ｄ                  解除ボタン
Ｄ２１、Ｄ３１            「ＯＫ」ボタン
Ｄ２３ａ                  保守項目一覧部
Ｄ２３ｂ                  保守項目名表示部
Ｄ２３ｃ                  上へ移動ボタン
Ｄ２３ｄ                  下へ移動ボタン
Ｄ２４０                  設定補助カレンダ表示領域
Ｄ２４０ａ                カレンダ年月表示部
Ｄ２４０ｂ                カレンダ表示部
Ｄ２４０ｃ                「翌月」ボタン
Ｄ２４０ｄ                「先月」ボタン
Ｄ２４１                  休日設定チェックボックス表示領域
Ｄ２４２                  「開始日」設定領域
Ｄ２４２a                開始日選択コンボボックス
Ｄ２４３                  「〆日」設定領域
Ｄ２４３ａ                〆日設定コンボボックス
Ｄ２５ａ                  ウェイクアップ時刻設定部
Ｄ３                      ウェイクアップ時刻変更ダイアログ
Ｄ３０                    変更ウェイクアップ時刻設定部
【図１】
2008292159.tif 000003
【図２】
2008292159.tif 000004
【図３】
2008292159.tif 000005
【図４】
2008292159.tif 000006
【図５】
2008292159.tif 000007
【図６】
2008292159.tif 000008
【図７】
2008292159.tif 000009
【図８】
2008292159.tif 000010
【図９】
2008292159.tif 000011
【図１０】
2008292159.tif 000012
【図１１】
2008292159.tif 000013
【図１２】
2008292159.tif 000014
【図１３】
2008292159.tif 000015
【図１４】
2008292159.tif 000016
【図１５】
2008292159.tif 000017
【図１６】
2008292159.tif 000018
【図１７】
2008292159.tif 000019
【図１８】
2008292159.tif 000020